(57)【特許請求の範囲】
【請求項１】
表示領域に画像を表示する表示パネルと、
前記表示パネルの前記表示領域に対向する部分に開口部を有し、前記表示パネルの前記表示領域の周辺部及び前記表示パネルの側面を覆うように形成されたフレームと、
前記フレームの開口部周囲で、前記表示パネルと対向する部分に配置される緩衝材と、を備え、
前記緩衝材は、第１緩衝材と、前記第１緩衝材より厚さの薄い第２緩衝材と、を有し、
前記開口部周囲は矩形であり、
前記第１緩衝材は、前記矩形の長辺側に配置され、
前記第２緩衝材は、前記矩形の短辺側に配置され、
前記矩形の長辺側に配置される前記第１緩衝材は、前記長辺の中央部分にのみ配置されている、ことを特徴とする表示装置。
【請求項２】
請求項１に記載の表示装置であって、
前記矩形の短辺側に配置される前記第２緩衝材は、前記短辺を覆うように前記短辺全体に配置されている、ことを特徴とする表示装置。
【請求項３】
請求項１に記載の表示装置であって、
前記矩形の短辺側に配置される前記第２緩衝材は、前記短辺の中央部分にのみ配置されている、ことを特徴とする表示装置。
【請求項４】
請求項１乃至３のいずれか一項に記載の表示装置であって、
前記第１緩衝材は、弾性ゴムを材料とし、
前記第２緩衝材は、樹脂を材料とする、ことを特徴とする表示装置。
【発明の詳細な説明】
【技術分野】
【０００１】
本発明は、表示装置に関する。
【背景技術】
【０００２】
コンピュータ等の情報通信端末やテレビ受像機の表示デバイスとして、液晶表示装置が広く用いられている。また、有機ＥＬ表示装置（ＯＬＥＤ）、電界放出ディスプレイ装置（ＦＥＤ）なども、薄型の表示装置として知られている。このような表示装置は、表示パネルをフレームに固定し、携帯端末装置等に取り付けられている。
【０００３】
表示パネルは、一般にガラス基板を基材にして形成され、表示パネルが取り付けられるフレームは、金属により形成されるため、表示パネルが直接フレームの金属に接触しないように、フレームの表示パネルと接する側には、弾性ゴム等の緩衝性のある材料を配置している。
【０００４】
特許文献１には、フィルム材をフレームと表示パネルに接触させるように配置し、塵埃の侵入及び光漏れを防止する液晶表示装置について開示している。
【先行技術文献】
【特許文献】
【０００５】
【特許文献１】特開２００６−１９５１４６号公報
【発明の概要】
【発明が解決しようとする課題】
【０００６】
本発明の発明者が、高温環境下で液晶表示装置の連続通電の試験を行なったところ、黒表示の際に、表示領域の角部分において光漏れが発生していることを発見した。これは、図８に示されるように、表示パネルの上偏光板８０６の中央がフレーム８０１の方向に反っており、フレームの表示パネル側に配置されている弾性ゴムと干渉し、表示パネルの角部に強い力がかかって反りが生じたことにより、その部分に光漏れが生じたものと考えられる。
【０００７】
本発明は上述の事情を鑑みてされたものであり、表示パネルや偏光板等の表示パネルの構成部品に反りが生じた場合においても、緩衝材等と干渉しない表示装置を提供することを目的とする。
【課題を解決するための手段】
【０００８】
本発明の表示装置は、表示領域に画像を表示する表示パネルと、前記表示パネルの前記表示領域に対向する部分に開口部を有し、前記表示パネルの前記表示領域の周辺部及び前記表示パネルの側面を覆うように形成されたフレームと、前記フレームの開口部周囲で、前記表示パネルと対向する部分に配置される緩衝材と、を備え、前記緩衝材は、第１緩衝材と、前記第１緩衝材より厚さの薄い第２緩衝材と、を有することを特徴とする表示装置である。
【０００９】
また、本発明の表示装置において、前記開口周囲は矩形であり、前記第１緩衝材及び第２緩衝材の一方が前記矩形の長辺側に配置され、他方が前記矩形の短辺側に配置されていてもよい。
【００１０】
また、本発明の表示装置において、前記第１緩衝材は、前記表示パネルの長辺側に配置され、前記第２緩衝材は、前記表示パネルの短辺側に配置されていてもよい。
【００１１】
また、本発明の表示装置において、前記矩形の長辺側に配置される前記緩衝材は、前記長辺の中央部分にのみ配置され、前記矩形の短辺側に配置される前記緩衝材は、前記短辺を覆うように前記短辺全体に配置されていてもよい。
【００１２】
また、本発明の表示装置において、前記第１緩衝材は、弾性ゴムを材料とし、前記第２緩衝材は、ＰＥＴ（Poly Ethylene Terephthalate）等の樹脂を材料としてもよい。
【図面の簡単な説明】
【００１３】
【図１】本発明の実施形態に係る表示装置について示す図である。
【図２】図１のフレームを表示パネルが取り付けられる面を斜め上から見たときの斜視図である。
【図３】図２のフレームの上面図である。
【図４】図３のIV−IV線における断面を概略的に示す図である。
【図５】本発明の第２実施形態に係る表示装置のフレームの上面図である。
【図６】本発明の第３実施形態に係る表示装置のフレームの上面図である。
【図７】本発明の第４実施形態に係る表示装置のフレームの上面図である。
【図８】本発明の課題に係る光漏れの原因について説明するための図である。
【発明を実施するための形態】
【００１４】
以下、本発明の実施形態について、図面を参照しつつ説明する。なお、図面において、同一又は同等の要素には同一の符号を付し、重複する説明を省略する。
【００１５】
図１は、本発明の一実施形態に係る表示装置１００について示す図である。この図に示されるように、表示装置１００は、表示パネル２００と、表示パネル２００を挟むように固定するフレーム１０１及び１０２と、により構成されている。なお、本実施形態においては、表示パネル２００は、液晶表示パネルであることとするが、その他の種類の表示パネルであってもよい。
【００１６】
図２には、図１のフレーム１０１を表示パネル２００が取り付けられる面を斜め上から見たときの斜視図が示されている。この図に示されるように、フレーム１０１は、表示パネル２００の表示領域に対向する部分に開口部１０３を有し、全体として表示パネル２００が収容されるように、表示パネル２００の表示領域の周辺部及びの側面を覆うように形成されている。
【００１７】
図３には、図２のフレーム１０１の上面図が示されている。この図に示されるように、フレーム１０１の開口部１０３の周囲で表示パネル２００に対向する矩形部分の長辺の中央には弾性ゴム材料からなる第１緩衝材１０５が接着により取り付けられ、短辺には全体に渡ってＰＥＴ（Poly Ethylene Terephthalate）等の樹脂材料からなる、第２緩衝材１０６が接着により取り付けられている。ここで、第１緩衝材１０５は、長辺の中央部分にのみ配置され、両端部分には配置されていない。なお、後述するように、第１緩衝材及び第２緩衝材の語は厚さが異なるために異なる語を用いているものであり、第１緩衝材１０５及び第２緩衝材１０６の材料は同じであってもよい。
【００１８】
本実施形態に係るフレーム１０１は、表示パネル２００を構成する偏光板の特に短辺が一様に反ることを想定したものであり、そのため、短辺側では反りにより、第１緩衝材１０５と干渉しないように、薄いＰＥＴ等の樹脂を材料とした緩衝材としている。また、表示パネル２００が直接金属を材料とするフレーム１０１に接触することのないよう、第１緩衝材１０５は、短辺の全面に渡って配置されている。一方、長辺側では、端部の反りを考慮したクリアランスを確保するために、中央部のみに緩衝性の高い弾性ゴム材料を使用することとしている。
【００１９】
図４は、図３のIV−IV線における断面を概略的に示す図である。この断面図に示されるように、第２緩衝材１０６の厚さは、第１緩衝材１０５より薄くなっている。本実施形態においては、第１緩衝材は厚さ１．０ｍｍ程度、第２緩衝材は厚さ０．５ｍｍ程度としているが、これらの厚さに限られるものではない。
【００２０】
上述のような構成とすることにより、導光板やその他表示パネルを構成する面状部材が変形した場合であっても、緩衝材に接触することによる応力を受けることがなくなるため、表示領域の光漏れ等を抑えることができる。つまり、表示パネルや偏光板等の表示パネルの構成部品に反りが生じた場合においても、緩衝材等と干渉しないため、表示に影響を与えないようにすることができる。
【００２１】
［第２実施形態］
図５には、本発明の第２実施形態に係る表示装置のフレーム２０１の上面図が示されている。この図に示されるように、本実施形態の第１緩衝材２０５は、第１実施形態の第１緩衝材１０５と同様に、長辺の中央部分にのみ配置されているが、第２緩衝材２０６は、第１実施形態の第２緩衝材１０６と異なり、短辺の中央部分にのみ配置されている。ここで、第１緩衝材２０５及び第２緩衝材２０６の材料及び厚さは、第１実施形態の第１緩衝材１０５及び第２緩衝材１０６の材料及び厚さと同じであるものとする。
【００２２】
本実施形態に係るフレーム２０１に取り付けられた第１緩衝材２０５及び第２緩衝材２０６の構成は、特に短辺側の中央部分がフレーム１０１側に反ることを想定したものであり、このような反りが想定される表示パネルにおいては、図５のような構成とすることにより、緩衝材等と干渉しないため、表示に影響を与えないようにすることができる。
【００２３】
［第３実施形態］
図６には、本発明の第３実施形態に係る表示装置のフレーム３０１の上面図が示されている。この図に示されるように、本実施形態の第２緩衝材３０６は、第１実施形態の第２緩衝材１０６と同様に、短辺の全体に渡って配置されているが、第１緩衝材３０５は、第１実施形態の第１緩衝材１０５と異なり、長辺の全体に渡って配置されている。ここで、第１緩衝材３０５及び第２緩衝材３０６の材料及び厚さは、第１実施形態の第１緩衝材１０５及び第２緩衝材１０６の材料及び厚さと同じであるものとする。
【００２４】
本実施形態に係るフレーム３０１に取り付けられた第１緩衝材３０５及び第２緩衝材３０６の構成は、短辺側がフレーム１０１側に反ることのみを想定し、長辺は反ることについては特に想定していないものであり、このような反りが生じる表示パネルにおいては、図６のような構成とすることにより、緩衝材等と干渉しないため、表示に影響を与えないようにすることができる。
【００２５】
［第４実施形態］
図７には、本発明の第４実施形態に係る表示装置のフレーム４０１の上面図が示されている。この図に示されるように、本実施形態の第１緩衝材４０５及び第２緩衝材４０６は、第３実施形態の第１緩衝材３０５及び第２緩衝材３０６と配置が逆であり、第１緩衝材４０５が短辺側に配置され、第２緩衝材４０６が長辺側に配置されている。ここで、第１緩衝材４０５及び第２緩衝材４０６の材料及び厚さは、第１実施形態の第１緩衝材１０５及び第２緩衝材１０６の材料及び厚さと同じであるものとする。
【００２６】
本実施形態に係るフレーム４０１に取り付けられた第１緩衝材４０５及び第２緩衝材４０６の構成は、長辺側がフレーム１０１側に反ることのみを想定し、短辺は反ることについては特に想定していないものであり、このような反りが生じる表示パネルにおいては、図７のような構成とすることにより、緩衝材等と干渉しないため、表示に影響を与えないようにすることができる。
【００２７】
以上説明したように、上述の各実施形態によれば、表示パネルや偏光板等の表示パネルの構成部品に反りが生じた場合においても、緩衝材等と干渉しないため、表示に影響を与えないようにすることができる。
【００２８】
なお、上述の実施形態においては、弾性ゴム材料及びＰＥＴ等の樹脂材料を用いることとしたが、その他の材料を用いることができる。また、第１緩衝材及び第２緩衝材の材料を異なるものとしたが、同じ材料を用いることとしてもよい。
【符号の説明】
【００２９】
１００  表示装置、１０１  フレーム、１０２  フレーム、１０３  開口部、１０５  緩衝材、１０６  緩衝材、２００  表示パネル、２０１  フレーム、２０５  緩衝材、２０６  緩衝材、３０１  フレーム、３０５  緩衝材、３０６  緩衝材、４０１  フレーム、４０５  緩衝材、４０６  緩衝材、８０１  フレーム、８０６  上偏光板。
【図１】
0005818703.tif 000002
【図２】
0005818703.tif 000003
【図３】
0005818703.tif 000004
【図４】
0005818703.tif 000005
【図５】
0005818703.tif 000006
【図６】
0005818703.tif 000007
【図７】
0005818703.tif 000008
【図８】
0005818703.tif 000009